(57)【要約】【課題】常時使用している眼鏡（特に、度付き眼鏡）を装着したままの状態で、花粉から目を保護する等の防塵機能を効果的に且つ安価に奏し得る眼鏡保護カバーを提供する。【解決手段】眼鏡保護カバー１は、眼鏡３に対して着脱自在に覆設され、眼鏡３に対して覆設された状態において、眼鏡３の前枠３１前方に位置し、当該前枠３１よりも大きな寸法を有する略平面状の眼鏡部材１１と、眼鏡部材１１の周縁から後方に延設された延設部材１２とを備えている。延設部材１２は、少なくとも後方周端部が弾性部材から形成されており、眼鏡３に対して覆設された状態において、眼鏡部材１１の眼鏡３のブリッジ３２と対向する位置に取り付けられ、ブリッジ３２に眼鏡部材１１を取り付けるための第１取付部材３２を備えている。第１取付部材３２としては、例えば、マジックテープを利用することができる。【選択図】　　図２
0003097571.tif 000002
【実用新案登録請求の範囲】
【請求項１】
眼鏡に対して着脱自在に覆設される保護カバーであって、
眼鏡に対して覆設された状態において、前記眼鏡の前枠前方に位置し、当該前枠よりも大きな寸法を有する略平面状の眼鏡部材と、前記眼鏡部材の周縁から後方に延設された延設部材とを備え、
前記延設部材は、少なくとも後方周端部が弾性部材から形成されており、
眼鏡に対して覆設された状態において、前記眼鏡部材の前記眼鏡のブリッジと対向する位置に取り付けられ、当該ブリッジに前記眼鏡部材を取り付けるための第１取付部材、及び、前記延設部材の前記眼鏡のテンプルと対向する位置に取り付けられ、当該テンプルに前記延設部材を取り付けるための第２取付部材の内、少なくとも何れか一方を更に備えることを特徴とする眼鏡保護カバー。
【請求項２】
前記第１取付部材は、マジックテープを具備し、当該マジックテープの雄雌何れか一方が前記眼鏡部材に取り付けられ、他方との間で前記ブリッジを挟着するように構成されていることを特徴とする請求項１に記載の眼鏡保護カバー。
【請求項３】
前記第２取付部材は、マジックテープを具備し、当該マジックテープの雄雌何れか一方が前記延設部材に取り付けられ、他方との間で前記テンプルを挟着するように構成されていることを特徴とする請求項１又は２に記載の眼鏡保護カバー。
【請求項４】
前記第１取付部材は、前記眼鏡部材に取り付けられ切り欠き部が形成された第１弾性部材と、前記切り欠き部に内挿された第２弾性部材とを備え、
前記切り欠き部は、前記ブリッジと対向する面側に前記ブリッジの長手方向に沿った開口を有するように形成され、前記開口から内方に向って、前記ブリッジの厚み以下の間隙を有する第１切り欠き領域部と、前記ブリッジの厚み以上の間隙を有する第２切り欠き領域部とから構成され、
前記第２弾性部材は、前記第２切り欠き領域部に内挿され、前記第１切り欠き領域部の間隙に沿って、内方に切り込みが施された或いは上下に分離された多孔性の弾性部材から構成されていることを特徴とする請求項１に記載の眼鏡保護カバー。
【請求項５】
前記第２取付部材は、前記延設部材に取り付けられ切り欠き部が形成された第１弾性部材と、前記切り欠き部に内挿された第２弾性部材とを備え、
前記切り欠き部は、前記テンプルと対向する面側に前記テンプルの長手方向に沿った開口を有するように形成され、前記開口から内方に向って、前記テンプルの厚み以下の間隙を有する第１切り欠き領域部と、前記テンプルの厚み以上の間隙を有する第２切り欠き領域部とから構成され、
前記第２弾性部材は、前記第２切り欠き領域部に内挿され、前記第１切り欠き領域部の間隙に沿って、内方に切り込みが施された或いは上下に分離された多孔性の弾性部材から構成されていることを特徴とする請求項１又は４に記載の眼鏡保護カバー。
【請求項６】
前記第１取付部材は、前記眼鏡部材に取り付けられた取付部と、前記取付部の下端から前記眼鏡部材に対して離間する方向に延出する第１延出部と、前記第１延出部の前記取付部側と反対側の一端から上方に延出する第２延出部と、前記第２延出部の上端から延出し上方に向って凸状に湾曲した湾曲部とを具備する可撓性部材から形成され、
前記湾曲部の下方に位置する開口が前記ブリッジの厚み以下の間隙を有するように形成されていることを特徴とする請求項１に記載の眼鏡保護カバー。
【請求項７】
前記第２取付部材は、前記延設部材に取り付けられた取付部と、前記取付部の下端から前記延設部材に対して離間する方向に延出する第１延出部と、前記第１延出部の前記取付部側と反対側の一端から上方に延出する第２延出部と、前記第２延出部の上端から延出し上方に向って凸状に湾曲した湾曲部とを具備する可撓性部材から形成され、
前記湾曲部の下方に位置する開口が前記テンプルの厚み以下の間隙を有するように形成されていることを特徴とする請求項１又は６に記載の眼鏡保護カバー。
【考案の詳細な説明】
【０００１】
【考案の属する技術分野】
本考案は、眼鏡に対して着脱自在に覆設される眼鏡保護カバーに関し、特に、常時使用している眼鏡（度付き眼鏡）を装着したままの状態で、花粉から目を保護する等の防塵機能を効果的に且つ安価に奏し得る眼鏡保護カバーに関する。
【０００２】
【従来の技術】
従来より、花粉の他、粉塵、飛翔、風圧等から目を保護するべく、種々の防塵眼鏡が提案されている（例えば、特許文献１及び２参照）。
【０００３】
図１１に示すように、例えば、従来提案され実用化されている防塵眼鏡２は、それ自体で眼鏡として装着し、顔部に固定できるように、耳に係合させるために湾曲した耳掛け部を有するテンプル２１を備えた構成である。ここで、眼鏡（特に、度付きの眼鏡の場合に問題となる）を使用している者にとって、花粉等から目を保護するべく防塵眼鏡２を装着するには、使用している度付き眼鏡の上から更に防塵眼鏡２を装着するか、或いは、使用している度付き眼鏡を外した上で防塵眼鏡２を装着する必要が生じる。
【０００４】
しかしながら、度付き眼鏡の上から更に防塵眼鏡２を装着する場合には、度付き眼鏡のテンプルと防塵眼鏡２のテンプル２１とが重なり合うため、違和感を生じるのみならず、防塵眼鏡２のテンプルが耳に密着せず外れたり位置ずれを生じたりし易いため、防塵機能が損なわれるという問題がある。また、度付き眼鏡と防塵眼鏡２とは別体であり、相互に連動するものではないため、互いの装着位置を調整し難く、ひいては防塵眼鏡２と顔部との間に広い隙間が生じ易くなる結果、防塵機能が損なわれるという問題もある。このような防塵機能の低下を少しでも抑止するべく、防塵眼鏡２の前枠２２を顔部側に過度に押し付けると、度付き眼鏡も顔部側に過度に押し付けられる結果、圧迫感が増し使用者に不快感を与えてしまうという問題もある。
【０００５】
一方、使用している度付き眼鏡を外した上で防塵眼鏡２を装着する場合には、上記問題は生じないものの、当然に視力低下の問題を生じるため実用的ではない。防塵眼鏡２自体を度付き眼鏡とする構成も考えられるが、コストが掛ってしまうという問題がある。
【０００６】
【特許文献１】
特開平１０−３２８２３０号公報
【特許文献２】
特開２００１−３４３６１８号公報
【０００７】
【考案が解決しようとする課題】
本考案は、斯かる従来技術の問題点を解決するべくなされたものであり、常時使用している眼鏡（特に、度付き眼鏡）を装着したままの状態で、花粉から目を保護する等の防塵機能を効果的に且つ安価に奏し得る眼鏡保護カバーを提供することを課題とする。
【０００８】
【課題を解決するための手段】
前記課題を解決するべく、本考案は、請求項１に記載の如く、眼鏡に対して着脱自在に覆設される保護カバーであって、眼鏡に対して覆設された状態において、前記眼鏡の前枠前方に位置し、当該前枠よりも大きな寸法を有する略平面状の眼鏡部材と、前記眼鏡部材の周縁から後方に延設された延設部材とを備え、前記延設部材は、少なくとも後方周端部が弾性部材から形成されており、眼鏡に対して覆設された状態において、前記眼鏡部材の前記眼鏡のブリッジと対向する位置に取り付けられ、当該ブリッジに前記眼鏡部材を取り付けるための第１取付部材、及び、前記延設部材の前記眼鏡のテンプルと対向する位置に取り付けられ、当該テンプルに前記延設部材を取り付けるための第２取付部材の内、少なくとも何れか一方を更に備えることを特徴とする眼鏡保護カバーを提供するものである。
【０００９】
請求項１に係る眼鏡保護カバーによれば、眼鏡（特に、度付き眼鏡を対象とするのに好適である）に対して覆設された状態において、眼鏡の前枠前方に位置する眼鏡部材と、眼鏡部材の周縁から後方に延設された延設部材とを備えるため、眼鏡を装着した場合、前記眼鏡部材及び前記延設部材によって眼鏡は覆われ、防塵機能を奏することになる。ここで、少なくとも延設部材の後方周端部（顔部に当接する部分となる）が弾性部材で形成されているため、顔部への密着性が高まり防塵機能を向上させることができると共に、使用者が違和感を感じ難いという利点を有する。また、眼鏡部材の眼鏡のブリッジと対向する位置に取り付けられ、当該ブリッジに眼鏡部材を取り付けるための第１取付部材、及び、延設部材の眼鏡のテンプルと対向する位置に取り付けられ、当該テンプルに延設部材を取り付けるための第２取付部材の内、少なくとも一方を備えるため、請求項１に係る眼鏡保護カバーは、第１取付部材又は第２取付部材（或いはその両方）を介して、眼鏡に取り付けられることになる。従って、眼鏡と眼鏡保護カバーとは連動することになり装着位置を調整し易くなる（眼鏡の装着位置を調整するだけで良い）他、眼鏡保護カバー自体には顔部に固定するためのテンプルは不要であるため、防塵機能を損なわないという利点を有する。また、眼鏡を装着したままの状態で良いため、眼鏡部材を度付きとする必要が無く、安価であるという利点も有する。さらには、眼鏡部材が眼鏡の前枠よりも大きな寸法を有する略平面状に形成されているため、前枠の形状（ウェリントン、ボストン、スクェア、オーバル、ロイドなど）毎に独立別個に眼鏡保護カバーを用意する必要が無く自由度が高いという利点も有する。換言すれば、取り付け対象とする種々の眼鏡のうち最も前枠の輪郭が大きなものよりも大きな寸法を有するように眼鏡部材を形成すれば、前記取り付け対象とする全ての眼鏡に対して一種類の眼鏡保護カバーを用意するだけで足りることになる。従って、眼鏡使用者にとっては、特に複数の眼鏡を保有する場合に、各眼鏡に応じて複数の眼鏡保護カバーを購入する必要が無く経済的であると共に、眼鏡保護カバーの販売者側にとっては、複数種の眼鏡保護カバーを在庫しておく必要が無く在庫管理の手間が少なくて済むという利点が得られる。
【００１０】
好ましくは、請求項２に記載の如く、前記第１取付部材は、マジックテープを具備し、当該マジックテープの雄雌何れか一方が前記眼鏡部材に取り付けられ、他方との間で前記ブリッジを挟着するように構成される。
【００１１】
請求項２に係る考案によれば、第１取付部材がマジックテープ（登録商標）を具備し、眼鏡のブリッジをマジックテープで挟着することにより、当該ブリッジに眼鏡部材ひいては眼鏡保護カバーが取り付けられることになる。従って、マジックテープの寸法範囲内であれば任意の厚みのブリッジを挟着し、当該ブリッジに眼鏡保護カバーを取り付けることができるため、眼鏡の種別の影響（ブリッジの厚みの影響）を受け難いという利点を有する。
【００１２】
同様にして、好ましくは、請求項３に記載の如く、前記第２取付部材は、マジックテープを具備し、当該マジックテープの雄雌何れか一方が前記延設部材に取り付けられ、他方との間で前記テンプルを挟着するように構成される。
【００１３】
請求項３に係る考案によれば、第２取付部材がマジックテープを具備し、眼鏡のテンプルをマジックテープで挟着することにより、当該テンプルに延設部材ひいては眼鏡保護カバーが取り付けられることになる。従って、マジックテープの寸法範囲内であれば任意の厚みのテンプルを挟着し、当該テンプルに眼鏡保護カバーを取り付けることができるため、眼鏡の種別の影響（テンプルの厚みの影響）を受け難いという利点を有する。
【００１４】
或いは、好ましくは、請求項４に記載の如く、前記第１取付部材は、前記眼鏡部材に取り付けられ切り欠き部が形成された第１弾性部材と、前記切り欠き部に内挿された第２弾性部材とを備え、前記切り欠き部は、前記ブリッジと対向する面側に前記ブリッジの長手方向に沿った開口を有するように形成され、前記開口から内方に向って、前記ブリッジの厚み以下の間隙を有する第１切り欠き領域部と、前記ブリッジの厚み以上の間隙を有する第２切り欠き領域部とから構成され、前記第２弾性部材は、前記第２切り欠き領域部に内挿され、前記第１切り欠き領域部の間隙に沿って、内方に切り込みが施された或いは上下に分離された多孔性の弾性部材から構成される。
【００１５】
請求項４に係る考案によれば、眼鏡のブリッジを第１取付部材の第１弾性部材の切り欠き部の開口から挿入し、ブリッジの厚み以下の間隙を有する第１切り欠き領域部を介して（ブリッジが第１切り欠き領域部を挿通する際、第１弾性部材は弾性変形し、第１切り欠き領域部がブリッジの厚み相当にまで拡張することになる一方、挿通し終えると収縮してブリッジの抜け止めの機能を奏する）、第２切り欠き領域部に達するまで押し込めば良い。第２切り欠き領域部には、多孔性の弾性部材（例えば、スポンジゴム等）から構成された第２弾性部材が内挿されており、ブリッジは、第２弾性部材の切り込み或いは上下に分離された部材間に押し込まれて挟持されるため、ブリッジに眼鏡部材ひいては眼鏡保護カバーが取り付けられることになる。請求項４に係る考案によれば、取り付け後の使用者の動作等により、ブリッジと第２弾性部材との若干の位置ずれが生じたとしても、多孔性の第２弾性部材で挟持されているため、ブリッジに傷が付き難いという利点を有する。
【００１６】
同様にして、好ましくは、請求項５に記載の如く、前記第２取付部材は、前記延設部材に取り付けられ切り欠き部が形成された第１弾性部材と、前記切り欠き部に内挿された第２弾性部材とを備え、前記切り欠き部は、前記テンプルと対向する面側に前記テンプルの長手方向に沿った開口を有するように形成され、前記開口から内方に向って、前記テンプルの厚み以下の間隙を有する第１切り欠き領域部と、前記テンプルの厚み以上の間隙を有する第２切り欠き領域部とから構成され、前記第２弾性部材は、前記第２切り欠き領域部に内挿され、前記第１切り欠き領域部の間隙に沿って、内方に切り込みが施された或いは上下に分離された多孔性の弾性部材から構成される。
【００１７】
請求項５に係る考案によれば、眼鏡のテンプルを第２取付部材の第１弾性部材の切り欠き部の開口から挿入し、テンプルの厚み以下の間隙を有する第１切り欠き領域部を介して（テンプルが第１切り欠き領域部を挿通する際、第１弾性部材は弾性変形し、第１切り欠き領域部がテンプルの厚み相当にまで拡張することになる一方、挿通し終えると収縮してテンプルの抜け止めの機能を奏する）、第２切り欠き領域部に達するまで押し込めば良い。第２切り欠き領域部には、多孔性の弾性部材（例えば、スポンジゴム等）から構成された第２弾性部材が内挿されており、テンプルは、第２弾性部材の切り込み或いは上下に分離された部材間に押し込まれて挟持されるため、テンプルに延設部材ひいては眼鏡保護カバーが取り付けられることになる。請求項５に係る考案によれば、取り付け後の使用者の動作等により、テンプルと第２弾性部材との若干の位置ずれが生じたとしても、多孔性の第２弾性部材で挟持されているため、テンプルに傷が付き難いという利点を有する。
【００１８】
或いは、好ましくは、請求項６に記載の如く、前記第１取付部材は、前記眼鏡部材に取り付けられた取付部と、前記取付部の下端から前記眼鏡部材に対して離間する方向に延出する第１延出部と、前記第１延出部の前記取付部側と反対側の一端から上方に延出する第２延出部と、前記第２延出部の上端から延出し上方に向って凸状に湾曲した湾曲部とを具備する可撓性部材から形成され、前記湾曲部の下方に位置する開口が前記ブリッジの厚み以下の間隙を有するように形成される。
【００１９】
請求項６に係る考案によれば、眼鏡のブリッジを、湾曲部の下方に位置するブリッジの厚み以下の間隙を有する開口から、湾曲部の内方に押し込む（ブリッジが開口を挿通する際、湾曲部は撓み、開口がブリッジの厚み相当にまで拡張することになる一方、挿通し終えると元に戻ってブリッジの抜け止めの機能を奏する）ことにより、湾曲部とブリッジとが係合し、ブリッジに眼鏡部材ひいては眼鏡保護カバーが取り付けられることになる。請求項６に係る考案によれば、第１延出部の長さに応じて、湾曲部とブリッジとの係合箇所が離間し、ひいては眼鏡のレンズ面が眼鏡部材から離間することになるため、取り付け後の使用者の動作等により、係合箇所に若干の位置ずれが生じたとしても、眼鏡のレンズ面と眼鏡保護カバーとが擦れてレンズ面に傷が付く可能性を低減できるという利点を有する。
【００２０】
同様にして、好ましくは、請求項７に記載の如く、前記第２取付部材は、前記延設部材に取り付けられた取付部と、前記取付部の下端から前記延設部材に対して離間する方向に延出する第１延出部と、前記第１延出部の前記取付部側と反対側の一端から上方に延出する第２延出部と、前記第２延出部の上端から延出し上方に向って凸状に湾曲した湾曲部とを具備する可撓性部材から形成され、前記湾曲部の下方に位置する開口が前記テンプルの厚み以下の間隙を有するように形成される。
【００２１】
請求項７に係る考案によれば、眼鏡のテンプルを、湾曲部の下方に位置するテンプルの厚み以下の間隙を有する開口から、湾曲部の内方に押し込む（テンプルが開口を挿通する際、湾曲部は撓み、開口がテンプルの厚み相当にまで拡張することになる一方、挿通し終えると元に戻ってテンプルの抜け止めの機能を奏する）ことにより、湾曲部とテンプルとが係合し、テンプルに延設部材ひいては眼鏡保護カバーを取り付けることができる。
【００２２】
【考案の実施の形態】
以下、添付図面を参照しつつ、本考案の実施形態について説明する。
【００２３】
＜第１実施形態＞
図１は、本考案の第１実施形態に係る眼鏡保護カバーの概略構成を示す斜視図であり、図２は、本実施形態に係る眼鏡保護カバーを眼鏡に対して覆設した状態を示す背面斜視図である。図１及び図２に示すように、本実施形態に係る眼鏡保護カバー１は、眼鏡３に対して覆設された状態（図２に示す状態）において、眼鏡３の前枠３１前方に位置し、前枠３１よりも大きな寸法を有する略平面状の眼鏡部材１１と、眼鏡部材１１の周縁から後方に延設された延設部材１２とを備えている。なお、眼鏡部材１１と延設部材１２とは、接着材を用いて互いに接合したり、或いは、延設部材１２の眼鏡部材１１の周縁と対向する箇所に溝を形成し、当該溝に眼鏡部材１１を嵌め込む等により、互いに結合すれば良い。
【００２４】
眼鏡部材１１としては、不透明でない限りにおいて種々の材料から形成することが可能であるが、眼鏡保護カバー１の形状を保持する等の観点より、ある程度硬質性を有する材料から形成するのが好ましく、また、成形容易であることが好ましいため、例えば、ポリカーボネート樹脂やアクリル樹脂から形成される。
【００２５】
本実施形態に係る延設部材１２は、全体が硬質ゴムで形成されているが、少なくとも後方周端部（使用者の顔部に当接する部分）を硬質ゴム、スポンジゴム、シリコンゴム等の弾性部材で形成する限りにおいて、種々の材料から形成することができる。延設部材１２の少なくとも後方周端部を弾性部材で形成することにより、顔部への密着性が高まり防塵機能を向上させることができると共に、使用者が違和感を感じ難いという利点を有する。
【００２６】
また、本実施形態に係る眼鏡保護カバー１は、眼鏡３に対して覆設された状態において、眼鏡部材１１の眼鏡３のブリッジ３２と対向する位置に取り付けられ、ブリッジ３２に眼鏡部材１１を取り付けるための第１取付部材１３を備えている。
【００２７】
具体的に説明すれば、本実施形態に係る第１取付部材１３は、雄雌が互いに対向するように２つ折りされた（或いは曲げられた）帯状のマジックテープから構成されている。より具体的には、マジックテープの雄雌何れか一方（２つ折りされたテープの一方）が、例えば粘着材や接着材を介して眼鏡部材１１に取り付けられており、雄雌何れかの他方（２つ折りされたテープの他方）との間でブリッジ３２を挟着するように構成されている。以上の構成を有する第１取付部材１３によれば、マジックテープの寸法範囲内（本実施形態では２つ折りされたテープの長さ以内）であれば任意の厚みのブリッジ３２を挟着し、当該ブリッジ３２に眼鏡保護カバー１を取り付けることができるため、眼鏡３の種別の影響（ブリッジ３２の厚みの影響）を受け難いという利点を有する。なお、眼鏡保護カバー１を眼鏡３から取外す際には、マジックテープの雄雌を互いに引き離し、ブリッジ３２の挟着を解除すれば良い。また、本実施形態では、雄雌が互いに対向するように２つ折りされた１本の帯状のマジックテープから第１取付部材１３を構成しているが、これに限る物ではなく、雄雌のマジックテープを別体として構成することも可能である。
【００２８】
以上に説明したように、本実施形態に係る眼鏡保護カバー１によれば、眼鏡部材１１と延設部材１２とを備えるため、眼鏡３を装着した場合、眼鏡部材１１及び延設部材１２によって眼鏡３は覆われ、防塵機能を奏することになる。また、第１取付部材１３を備えるため、眼鏡保護カバー１は、第１取付部材１３を介して、眼鏡３に取り付けられることになる。従って、眼鏡３と眼鏡保護カバー１とは連動することになり装着位置を調整し易くなる他、眼鏡保護カバー１自体には顔部に固定するためのテンプルは不要であるため、防塵機能を損なわないという利点を有する。また、眼鏡３を装着したままの状態で良いため、眼鏡部材１１を度付きとする必要が無く、安価であるという利点も有する。さらには、眼鏡部材１１が、前枠３１の形状に完全に合致するものではなく、前枠３１よりも大きな寸法を有する略平面状に形成されているため、前枠３１の形状（ウェリントン、ボストン、スクェア、オーバル、ロイドなど）毎に独立別個に眼鏡保護カバー１を用意する必要が無く、自由度が高いという利点も有する。
【００２９】
＜第２実施形態＞
図３は、本考案の第２実施形態に係る眼鏡保護カバーの概略構成を示す斜視図であり、図４は、本実施形態に係る眼鏡保護カバーを眼鏡に対して覆設した状態を部分的に示す背面斜視図である。図３及び図４に示すように、本実施形態に係る眼鏡保護カバー１Ａも第１実施形態と同様に、眼鏡３に対して覆設された状態（図４に示す状態）において、眼鏡３の前枠３１前方に位置する略平面状の眼鏡部材１１と、眼鏡部材１１の周縁から後方に延設された延設部材１２Ａと、眼鏡部材１１に取り付けられた第１取付部材１３とを備えている。
【００３０】
しかしながら、本実施形態に係る眼鏡保護カバー１Ａは、延設部材１２Ａが延設部材本体１２Ｂと取付部材の取付用延設部材１２Ｃとから構成されている点、及び、取付用延設部材１２Ｃに第２取付部材１４を備えている点で、第１実施形態と異なる。以下、斯かる相違点について説明する。
【００３１】
前述のように、本実施形態に係る延設部材１２Ａは、延設部材本体１２Ｂと、第２取付部材１４を取り付けるための取付用延設部材１２Ｃとから構成される。延設部材本体１２Ｂは、第１実施形態の延設部材１２と同様の構成である。取付用延設部材１２Ｃは、眼鏡３のテンプル３３と対向するように、眼鏡部材１１の左右の側縁から後方に延設された略矩形状の部材とされている。なお、眼鏡部材１１と取付用延設部材１２Ｃとは、接着材等を用いて互いに結合すれば良い。取付用延設部材１２Ｃは、全体がゴム等の弾性部材から形成されており、眼鏡部材１１との結合部を軸にして外方に開いた状態（図３）から、内方に閉じた状態（図４）へと弾性変形させることが可能である。このように、本実施形態に係る取付用延設部材１２Ｃは弾性変形可能であり、これに伴い、以下に述べる第２取付部材１４の位置調整も可能であるため、眼鏡３の種別の影響（両テンプル３３の間隔の影響）を受け難いという利点を有する。
【００３２】
また、前述のように、本実施形態に係る眼鏡保護カバー１Ａは、取付用延設部材１２Ｃにおける眼鏡３のテンプル３３と対向する位置に取り付けられ、テンプル３３に取付用延設部材１２Ｃを取り付けるための第２取付部材１４を備えている。第２取付部材１４は、マジックテープを用いて構成されており、その具体的構成は第１取付部材１３と同様であるため、その説明は省略する。
【００３３】
本実施形態に係る眼鏡保護カバー１Ａによれば、第１実施形態と同様に、眼鏡部材１１、延設部材１２Ａ及び第１取付部材１３を備えるため、眼鏡３（特に、度付き眼鏡）を装着したままの状態で、防塵機能を効果的に且つ安価に奏することが可能である。さらに、本実施形態に係る眼鏡保護カバー１Ａによれば、眼鏡３のテンプル３３に取付用延設部材１２Ｃを取り付けるための第２取付部材１４を備えるため、眼鏡保護カバー１Ａは、眼鏡３のブリッジのみならずテンプル３３においても取り付けられることになり、取り付けをより一層確実にすることが可能である。
【００３４】
なお、本実施形態では、延設部材本体１２Ｂとは別の取付用延設部材１２Ｃに第２取付部材１４を取り付ける構成について説明したが、本考案はこれに限るものではなく、延設部材本体１２Ｂにおけるテンプル３３と対向する位置に第２取付部材１４を取り付ける構成を採用することも可能である。また、本実施形態では、第１取付部材１３及び第２取付部材１４の両方を備える構成について説明したが、本考案はこれに限るものでなはく、第２取付部材１４のみを備える構成を採用することも可能である。
【００３５】
以上に説明した第１及び第２実施形態では、第１取付部材１３及び第２取付部材１４として、共にマジックテープを用いた構成について説明したが、本考案は何らこれに限るものではない。以下、第１取付部材又は第２取付部材として採用可能な他の構成について順次説明する（以下の説明では、第１取付部材の変形例についてのみ説明するが、同様の構成を第２取付部材として転用することが可能である）。
【００３６】
＜変形例１＞
図５は、第１取付部材の変形例を概略的に示す縦断面図である。図５に示すように、本変形例の第１取付部材１３Ａは、例えば粘着材や接着材を介して眼鏡部材１１に取り付けられ切り欠き部Ｓが形成された第１弾性部材（例えば、ゴム等）１３１Ａと、切り欠き部Ｓに内挿された第２弾性部材１３２Ａとを備えている。
【００３７】
第１弾性部材１３１Ａの切り欠き部Ｓは、ブリッジ３２と対向する面側にブリッジ３２の長手方向（図５の紙面奥行き方向）に沿った開口Ｐを有するように形成され、開口Ｐから内方（図５の紙面左方向）に向って、ブリッジ３２の厚み以下の間隙を有する第１切り欠き領域部Ｓ１と、ブリッジ３２の厚み以上の間隙を有する第２切り欠き領域部Ｓ２（本実施形態では、ブリッジ３２の厚み以上の径を有する断面略円形状とされている）とから構成されている。
【００３８】
第２弾性部材１３２Ａは、第２切り欠き領域部Ｓ２に内挿され、第１切り欠き領域部Ｓ１の間隙に沿って、内方に切り込みが施された或いは上下に分離された多孔性の弾性部材（例えば、スポンジゴム等）から構成されている。
【００３９】
斯かる構成を有する第１取付部材１３Ａによってブリッジ３２に眼鏡部材１１を取り付ける際には、ブリッジ３２を第１弾性部材１３１Ａの切り欠き部Ｓの開口Ｐから挿入し、ブリッジ３２の厚み以下の間隙を有する第１切り欠き領域部Ｓ１を介して（ブリッジ３２が第１切り欠き領域部Ｓ１を挿通する際、第１弾性部材１３１Ａは弾性変形し、第１切り欠き領域部Ｓ１がブリッジ３２の厚み相当にまで拡張することになる一方、挿通し終えると収縮してブリッジ３２の抜け止めの機能を奏する）、第２切り欠き領域部１３２Ａに達するまで押し込めば良い。第２切り欠き領域部Ｓ２には、多孔性の弾性部材から構成された第２弾性部材１３２Ａが内挿されており、ブリッジ３２は、第２弾性部材１３２Ａの切り込み或いは上下に分離された部材間に押し込まれて挟持されるため、ブリッジ３２に眼鏡部材１１ひいては眼鏡保護カバーが取り付けられることになる。本変形例の第１取付部材１３Ａによれば、取り付け後の使用者の動作等により、ブリッジ３２と第２弾性部材１３２Ａとの若干の位置ずれが生じたとしても、多孔性の第２弾性部材１３２Ａで挟持されているため、ブリッジ３２に傷が付き難いという利点を有する。
【００４０】
＜変形例２＞
図６は、第１取付部材の他の変形例を概略的に示す縦断面図である。図６に示すように、本変形例の第１取付部材１３Ｂは、例えば粘着材や接着材を介して眼鏡部材１１に取り付けられた取付部１３１Ｂと、取付部１３１Ｂの下端から眼鏡部材１１に対して離間する方向に延出する第１延出部１３２Ｂと、第１延出部１３２Ｂの取付部１３１Ｂ側と反対側の一端から上方に延出する第２延出部１３３Ｂと、第２延出部１３３Ｂの上端から延出し上方に向って凸状に湾曲した湾曲部１３４Ｂとを具備する可撓性部材（例えば、ポリカーボネート樹脂）から形成されている。ここで、湾曲部１３４Ｂの下方に位置する開口Ｐは、ブリッジ３２の厚み以下の間隙を有するように形成されている。
【００４１】
斯かる構成を有する第１取付部材１３Ｂによってブリッジ３２に眼鏡部材１１を取り付ける際には、ブリッジ３２を、湾曲部１３４Ｂの下方に位置するブリッジ３２の厚み以下の間隙を有する開口Ｐから、湾曲部１３４Ｂの内方に押し込めば良い（ブリッジ３２が開口Ｐを挿通する際、湾曲部１３４Ｂは撓み、開口Ｐがブリッジ３２の厚み相当にまで拡張することになる一方、挿通し終えると元に戻ってブリッジ３２の抜け止めの機能を奏する）。これにより、湾曲部２３４Ｂとブリッジ３２とが係合し、ブリッジ３２に眼鏡部材１１ひいては眼鏡保護カバーが取り付けられることになる。本変形例の第１取付部材１３Ｂによれば、第１延出部１３２Ｂの長さに応じて、湾曲部１３４Ｂとブリッジ３２との係合箇所が離間し、ひいては眼鏡のレンズ面が眼鏡部材１１から離間することになるため、取り付け後の使用者の動作等により、係合箇所に若干の位置ずれが生じたとしても、眼鏡のレンズ面と眼鏡保護カバーとが擦れてレンズ面に傷が付く可能性を低減できるという利点を有する。
【００４２】
なお、図６に示す変形例では、湾曲部１３４Ｂが、第２延出部１３３Ｂの上端から延出し眼鏡部材１１に近接する方向に凸状に湾曲する形態について説明したが、これに限るものではなく、眼鏡部材１１から離間する方向に凸状に湾曲する構成とすることも可能である。また、第１取付部材１３Ｂ（図６に示す形態、及び、上記のように湾曲部の湾曲方向を反転させた形態）の上下を反転した構成とすることも可能である。
【００４３】
＜変形例３＞
図７は、第１取付部材のさらに他の変形例を概略的に示す縦断面図である。図７に示すように、本変形例の第１取付部材１３Ｃは、例えば粘着材や接着材を介して眼鏡部材１１に取り付けられた取付部１３１Ｃと、取付部１３１Ｃの上端から延出し上方に向って凸状に湾曲した湾曲部１３２Ｃとを具備する可撓性部材（例えば、ポリカーボネート樹脂）から形成されており、湾曲部１３２Ｃの下方に位置する開口Ｐは、ブリッジ３２の厚み以下の間隙を有するように形成されている。
【００４４】
本変形例の第１取付部材１３Ｃによってブリッジ３２に眼鏡部材１１を取り付ける際の動作は、変形例２の場合と同様であるため、その説明は省略する。なお、図７に示す変形例では、湾曲部１３２Ｃの下方に位置する開口Ｐがブリッジ３２の厚み以下の間隙を有する形態について説明したが、これに限るものではなく、開口Ｐがブリッジ３２の厚みより大きな間隙を有する構成とすることも可能である。この場合には、ブリッジ３２が挿通する際に開口Ｐの拡張（及び挿通後の元の寸法への復帰）を伴わず、湾曲部１３２Ｃは、単なるブリッジ３２の係止部材としての機能を奏する（抜け止めの機能は奏さない）ため、必ずしも可撓性部材で形成する必要は無く、一般的な金具を利用することが可能である。また、第１取付部材１３Ｃ（図７に示す形態、及び、上記のように開口Ｐがブリッジの厚みより大きな間隙を有する形態）の上下を反転した構成とすることも可能である。
【００４５】
＜変形例４＞
図８は、第１取付部材のさらに他の変形例を概略的に示す縦断面図であり、（ａ）は全体図を、（ｂ）は（ａ）の領域Ｘの拡大図をそれぞれ示す。図８に示すように、本変形例の第１取付部材１３Ｄは、帯状の可撓性部材（例えば、塩化ビニール等）から形成され、その内面同士が対向するように、例えば粘着材や接着材を介して眼鏡部材１１にその外面の一部が取り付けられている。第１取付部材１３Ｄの両端部内面には、締結手段として、互いに嵌合し得る凹部１３１Ｄ及び凸部１３２Ｄがそれぞれ形成されている。
【００４６】
斯かる構成を有する第１取付部材１３Ｄによってブリッジ３２に眼鏡部材１１を取り付ける際には、ブリッジ３２を第１取付部材１３Ｄで巻いた後、凹部１３１Ｄと凸部１３２Ｄとを嵌合させれば良い。これにより、眼鏡部材１１にブリッジ３２が締結されるため、ブリッジ３２に眼鏡部材１１ひいては眼鏡保護カバーが取り付けられることになる。
【００４７】
なお、図８に示す変形例では、締結手段として、第１取付部材１３Ｄの内面に、一つの凹部１３１Ｄと一つの凸部１３２Ｄとが形成されている形態について説明したが、これに限るものではなく、凹部１３１Ｄ及び凸部１３２Ｄのいずれか一方、或いは、両方について、第１取付部材１３Ｄの長手方向に沿って複数形成する構成としても良い。この場合には、ブリッジ３２を確実に締結するべく、ブリッジ３２の厚みに応じて、嵌合させる凹部１３１Ｄと凸部１３２Ｄとを選択できるという利点を有する。また、図８に示す凹部１３１Ｄと凸部１３２Ｄとの配置を反転し（つまり、第１取付部材１３Ｄの固定端側に凸部１３２Ｄを設ける）、さらに凹部１３１Ｄの代わりに、第１取付部材１３Ｄに凸部１３２Ｄの寸法よりも若干小さな径を有する貫通孔（径方向に沿って切り込みを施す）を形成して、当該貫通孔に凸部１３２Ｄを貫通させることにより、眼鏡部材１１にブリッジ３２を締結する構成を採用することも可能である。この場合も、上記のように、凸部１３２Ｄ及び貫通孔のいずれか一方、或いは、両方について、第１取付部材１３Ｄの長手方向に沿って複数形成する構成としても良い。さらに、第１取付部材１３Ｄ（図８に示す形態、上記のように締結手段として貫通孔を利用した形態、及び、上記のように複数箇所に締結手段を形成した形態）の上下を反転した構成とすることも可能である。
【００４８】
＜変形例５＞
図９は、第１取付部材のさらに他の変形例を概略的に示す縦断面図である。図９に示すように、本変形例の第１取付部材１３Ｅは、例えば粘着材や接着材を介して眼鏡部材１１に取り付けられ、ブリッジ３２の厚み以上に突出した雄ネジ部を具備する第１部材１３１Ｅと、第１部材１３１Ｅの雄ネジ部に螺合し得る雌ネジ部を具備する第２部材１３２Ｅと、第１部材１３１Ｅと第２部材１３２Ｅとの間に介挿され、第１部材１３１との間でブリッジ３２を締め付け挟持するための介挿部材１３３Ｅとを備えている。なお、第１部材１３１Ｅ、第２部材１３２Ｅ及び介挿部材１３３Ｅは、ブリッジ３２を締め付ける際に傷が付き難いように、それぞれ可撓性部材（例えば、ポリカーボネート樹脂）で形成するのが好ましい
。
【００４９】
斯かる構成を有する第１取付部材１３Ｄによってブリッジ３２に眼鏡部材１１を取り付ける際には、ブリッジ３２を第１部材１３１Ｅの雄ネジ部上に載置し、介挿部材１３３Ｅの開口Ｐに第１部材１３１Ｅの雄ネジ部を貫通させた後、介挿部材１３３Ｅから突出した雄ネジ部と第２取付部材１３２Ｅの雌ネジ部とを螺合すれば良い。これにより、ブリッジ３２は、第１部材１３１Ｅと介挿部材１３２との間で締め付けられ挟持されるため、ブリッジ３２に眼鏡部材１１ひいては眼鏡保護カバーが取り付けられることになる。
【００５０】
なお、図９に示す変形例では、ブリッジ３２を第１部材１３１Ｅの雄ネジ部上に載置する形態について説明したが、これに限るものではなく、ブリッジ３２を雄ネジ部の下方に配置する構成とすることも可能である。
【００５１】
＜変形例６＞
図１０は、第１取付部材のさらに他の変形例を概略的に示す縦断面図である。図１０に示すように、本変形例の第１取付部材１３Ｆは、例えば粘着材や接着材を介して眼鏡部材１１に取り付けられたいわゆる鰐口クリップの形態とされている。斯かる鰐口クリップでブリッジ３２を挟持することにより、ブリッジ３２に眼鏡部材１１ひいては眼鏡保護カバーが取り付けられることになる。
【００５２】
【考案の効果】
以上に説明したように、本考案に係る眼鏡保護カバーによれば、眼鏡（特に、度付き眼鏡）に対して覆設された状態において、眼鏡の前枠前方に位置する眼鏡部材と、眼鏡部材の周縁から後方に延設された延設部材とを備えるため、眼鏡を装着した場合、前記眼鏡部材及び前記延設部材によって眼鏡は覆われ、防塵機能を奏することになる。また、少なくとも延設部材の後方周端部（顔部に当接する部分となる）が弾性部材で形成されているため、顔部への密着性が高まり防塵機能を向上させることができると共に、使用者が違和感を感じ難いという利点を有する。また、眼鏡部材の眼鏡のブリッジと対向する位置に取り付けられ、当該ブリッジに眼鏡部材を取り付けるための第１取付部材、及び、延設部材の眼鏡のテンプルと対向する位置に取り付けられ、当該テンプルに延設部材を取り付けるための第２取付部材の内、少なくとも一方を備えるため、眼鏡保護カバーは、第１取付部材又は第２取付部材（或いはその両方）を介して、眼鏡に取り付けられることになる。従って、眼鏡と眼鏡保護カバーとは連動することになり装着位置を調整し易くなる（眼鏡の装着位置を調整するだけで良い）他、眼鏡保護カバー自体には顔部に固定するためのテンプルは不要であるため、防塵機能を損なわないという利点を有する。また、眼鏡を装着したままの状態で良いため、眼鏡部材を度付きとする必要が無く、安価であるという利点も有する。さらには、眼鏡部材が眼鏡の前枠よりも大きな寸法を有する略平面状に形成されているため、前枠の形状（ウェリントン、ボストン、スクェア、オーバル、ロイドなど）毎に独立別個に眼鏡保護カバーを用意する必要が無く自由度が高いという利点も有する。換言すれば、取り付け対象とする種々の眼鏡のうち最も前枠の輪郭が大きなものよりも大きな寸法を有するように眼鏡部材を形成すれば、前記取り付け対象とする全ての眼鏡に対して一種類の眼鏡保護カバーを用意するだけで足りることになる。従って、眼鏡使用者にとっては、特に複数の眼鏡を保有する場合に、各眼鏡に応じて複数の眼鏡保護カバーを購入する必要が無く経済的であると共に、眼鏡保護カバーの販売者側にとっては、複数種の眼鏡保護カバーを在庫しておく必要が無く在庫管理の手間が少なくて済むという利点が得られる。
【図面の簡単な説明】
【図１】図１は、本考案の第１実施形態に係る眼鏡保護カバーの概略構成を示す斜視図である。
【図２】図２は、本考案の第１実施形態に係る眼鏡保護カバーを眼鏡に対して覆設した状態を示す背面斜視図である。
【図３】図３は、本考案の第２実施形態に係る眼鏡保護カバーの概略構成を示す斜視図である。
【図４】図４は、　　本考案の第２実施形態に係る眼鏡保護カバーを眼鏡に対して覆設した状態を部分的に示す背面斜視図である。
【図５】図５は、本考案の第１取付部材の変形例を概略的に示す縦断面図である。
【図６】図６は、本考案の第１取付部材の他の変形例を概略的に示す縦断面図である。
【図７】図７は、本考案の第１取付部材のさらに他の変形例を概略的に示す縦断面図である。
【図８】図８は、本考案の第１取付部材のさらに他の変形例を概略的に示す縦断面図である。
【図９】図９は、本考案の第１取付部材のさらに他の変形例を概略的に示す縦断面図である。
【図１０】図１０は、本考案の第１取付部材のさらに他の変形例を概略的に示す縦断面図である。
【図１１】図１１は、従来の防塵眼鏡の概略構成を示す斜視図である。
【符号の説明】
１…眼鏡保護カバー　　３…眼鏡　　１１…眼鏡部材　　１２…延設部材
１３…第１取付部材　　１４…第２取付部材　　３１…前枠　３２…ブリッジ
【図１】
0003097571.tif 000003
【図２】
0003097571.tif 000004
【図３】
0003097571.tif 000005
【図４】
0003097571.tif 000006
【図５】
0003097571.tif 000007
【図６】
0003097571.tif 000008
【図７】
0003097571.tif 000009
【図８】
0003097571.tif 000010
【図９】
0003097571.tif 000011
【図１０】
0003097571.tif 000012
【図１１】
0003097571.tif 000013
【手続補正書】
【提出日】平成15年6月5日(2003.6.5)
【手続補正１】
【補正対象書類名】明細書
【補正対象項目名】請求項２
【補正方法】変更
【補正の内容】
【請求項２】
前記第１取付部材は、面ファスナーを具備し、当該面ファスナーの雄雌何れか一方が前記眼鏡部材に取り付けられ、他方との間で前記ブリッジを挟着するように構成されていることを特徴とする請求項１に記載の眼鏡保護カバー。
【手続補正２】
【補正対象書類名】明細書
【補正対象項目名】請求項３
【補正方法】変更
【補正の内容】
【請求項３】
前記第２取付部材は、面ファスナーを具備し、当該面ファスナーの雄雌何れか一方が前記延設部材に取り付けられ、他方との間で前記テンプルを挟着するように構成されていることを特徴とする請求項１又は２に記載の眼鏡保護カバー。
【手続補正３】
【補正対象書類名】明細書
【補正対象項目名】００１０
【補正方法】変更
【補正の内容】
【００１０】
好ましくは、請求項２に記載の如く、前記第１取付部材は、面ファスナーを具備し、当該面ファスナーの雄雌何れか一方が前記眼鏡部材に取り付けられ、他方との間で前記ブリッジを挟着するように構成される。


【手続補正４】
【補正対象書類名】明細書
【補正対象項目名】００１１
【補正方法】変更
【補正の内容】
【００１１】
請求項２に係る考案によれば、第１取付部材が面ファスナーを具備し、眼鏡のブリッジを面ファスナーで挟着することにより、当該ブリッジに眼鏡部材ひいては眼鏡保護カバーが取り付けられることになる。従って、面ファスナーの寸法範囲内であれば任意の厚みのブリッジを挟着し、当該ブリッジに眼鏡保護カバーを取り付けることができるため、眼鏡の種別の影響（ブリッジの厚みの影響）を受け難いという利点を有する。


【手続補正５】
【補正対象書類名】明細書
【補正対象項目名】００１２
【補正方法】変更
【補正の内容】
【００１２】
同様にして、好ましくは、請求項３に記載の如く、前記第２取付部材は、面ファスナーを具備し、当該面ファスナーの雄雌何れか一方が前記延設部材に取り付けられ、他方との間で前記テンプルを挟着するように構成される。


【手続補正６】
【補正対象書類名】明細書
【補正対象項目名】００１３
【補正方法】変更
【補正の内容】
【００１３】
請求項３に係る考案によれば、第２取付部材が面ファスナーを具備し、眼鏡のテンプルを面ファスナーで挟着することにより、当該テンプルに延設部材ひいては眼鏡保護カバーが取り付けられることになる。従って、面ファスナーの寸法範囲内であれば任意の厚みのテンプルを挟着し、当該テンプルに眼鏡保護カバーを取り付けることができるため、眼鏡の種別の影響（テンプルの厚みの影響）を受け難いという利点を有する。


【手続補正７】
【補正対象書類名】明細書
【補正対象項目名】００２７
【補正方法】変更
【補正の内容】
【００２７】
具体的に説明すれば、本実施形態に係る第１取付部材１３は、雄雌が互いに対向するように２つ折りされた（或いは曲げられた）帯状の面ファスナー（マジックテープ）から構成されている。より具体的には、マジックテープの雄雌何れか一方（２つ折りされたテープの一方）が、例えば粘着材や接着材を介して眼鏡部材１１に取り付けられており、雄雌何れかの他方（２つ折りされたテープの他方）との間でブリッジ３２を挟着するように構成されている。以上の構成を有する第１取付部材１３によれば、マジックテープの寸法範囲内（本実施形態では２つ折りされたテープの長さ以内）であれば任意の厚みのブリッジ３２を挟着し、当該ブリッジ３２に眼鏡保護カバー１を取り付けることができるため、眼鏡３の種別の影響（ブリッジ３２の厚みの影響）を受け難いという利点を有する。なお、眼鏡保護カバー１を眼鏡３から取外す際には、マジックテープの雄雌を互いに引き離し、ブリッジ３２の挟着を解除すれば良い。また、本実施形態では、雄雌が互いに対向するように２つ折りされた１本の帯状のマジックテープから第１取付部材１３を構成しているが、これに限る物ではなく、雄雌のマジックテープを別体として構成することも可能である。